(57)【要約】【課題】近距離無線通信で車載器を操作しようとする場合に、特定の認証キーを知っている人や特定の認証キーを保持するＮＦＣタグが装着された端末を利用する人が操作する場合であっても、事前に決めた条件に適合しない不正なアクセスを防止する。【解決手段】携帯端末のＮＦＣタグ２１上に、認証キーの他に、接続先端末情報、乗務員情報、担当車両情報などを保持し、これらをＮＦＣ通信により接続情報として車載器１０に送る。車載器１０は受け取った接続情報を認証用事務所サーバ３０に転送する。認証用事務所サーバ３０は、受信した接続情報と一致する組み合わせが登録識別情報３２ａ上に存在するか識別することにより認証を行い、その結果に従って近距離無線通信の接続許可の指示を送信する。複数の乗務員および複数の携帯端末を区別してアクセスを制御できる。【選択図】図１
2014215705.tif 000002
【特許請求の範囲】
【請求項１】
ＮＦＣタグが搭載され、且つ近距離無線通信によって通信可能な携帯端末と、
ＮＦＣリーダが搭載され、且つ近距離無線通信を利用する第１の無線通信機能、及び前記近距離無線通信とは異なる第２の無線通信機能を用いて通信可能な車載器と、
前記車載器との間で、前記第２の無線通信機能と対応する無線通信によって通信可能なサーバと、
を備え、
前記車載器は、前記ＮＦＣリーダによって、近距離無線通信を確立するために必要なキー情報と、前記ＮＦＣタグに固有の識別情報とを、前記ＮＦＣタグから読み取り、前記キー情報及び前記識別情報を前記第２の無線通信機能の無線通信によって前記サーバに送信し、
前記サーバは、該サーバ上に事前に登録されている登録識別情報の中に、前記車載器から受信した前記識別情報と一致するものがあるかを判別し、判別結果が所定の条件を満たす場合、前記キー情報によって特定される携帯端末との間での近距離無線通信を許可する指示を前記車載器に送信する
ことを特徴とする車載器制御システム。
【請求項２】
前記固有の識別情報は、少なくとも、前記携帯端末を表す接続先端末情報及び前記携帯端末の所持者である特定の乗務員を表す乗務員情報を含み、
前記サーバは、前記車載器から受信した前記識別情報に含まれる前記接続先端末情報および前記乗務員情報の両方と一致する情報が前記登録識別情報の中に存在する場合に、近距離無線通信を許可する指示を前記車載器に送信する
ことを特徴とする請求項１に記載の車載器制御システム。
【請求項３】
前記固有の識別情報は、更に、前記乗務員情報に対応する特定の乗務員が当日運転を担当する特定の車両を表す担当車両情報を含み、
前記車載器は、該車載器自身または前記車載器を搭載した特定の車両を表す固有の車載器情報を、前記キー情報及び前記識別情報と共に前記第２の無線通信機能の無線通信によって前記サーバに送信し、
前記サーバは、前記車載器から受信した前記識別情報に含まれる前記接続先端末情報および前記乗務員情報の両方と一致する情報が前記登録識別情報の中に存在し、且つ、前記車載器から受信した前記車載器情報と、前記識別情報に含まれる前記担当車両情報とが整合する場合に、近距離無線通信を許可する指示を前記車載器に送信する
ことを特徴とする請求項２に記載の車載器制御システム。
【発明の詳細な説明】
【技術分野】
【０００１】
本発明は車載器制御システムに関し、特に、業務用車両等に搭載される車載器を携帯端末を用いて操作する場合の制御に関する。
【背景技術】
【０００２】
従来より、携帯端末などの電子機器を他の電子機器と無線接続する場合には、例えば「Bluetooth（登録商標）」のような近距離無線通信を利用し、例えば半径１０〜１００ｍ程度の範囲内で無線通信することが可能である。
【０００３】
しかし、通信可能な範囲が１０〜１００ｍ程度であると、盗聴などの危険性も大きい。従って、近距離無線通信を開始する前に、事前に所定の通信手続き（ペアリング）を行って通信を暗号化し、ペアリングを行った特定の機器同士の間でのみ無線通信ができるように操作している。しかし、安全を確保した状態で認証キーなどの情報を各々の機器に入力しなければならないので、ペアリングには煩雑な操作が伴う。
【０００４】
そこで、近距離無線通信を行う機器同士のペアリングを行う際に、ＮＦＣ（Near Field Communication）タグが利用される。すなわち、ＮＦＣタグを搭載した携帯端末を、通信相手の機器に接続されたＮＦＣリーダの近傍にかざす操作を行うことにより、ＮＦＣタグとＮＦＣリーダとの間でＮＦＣの通信が行われ、ペアリングに必要な認証キーなどの情報の受け渡しが完了する。ＮＦＣでは、通信可能な距離が１０ｃｍ以下程度なので、ペアリングの際に認証キーなどの情報が漏洩する危険性はほとんどない。
【０００５】
一方、近距離無線通信およびＮＦＣを利用するシステムが、例えば特許文献１に開示されている。特許文献１においては、ＮＦＣ通信から近距離無線通信にハンドオーバーする際に、ＮＦＣによりペアリングを実施する端末と、近距離無線通信によってコンテンツの通信を実施しようとする端末とが同一であるかを照合している。この照合を行うために、サーバを用いている。
【先行技術文献】
【特許文献】
【０００６】
【特許文献１】特開２０１２−５８８２３号公報
【発明の概要】
【発明が解決しようとする課題】
【０００７】
ＮＦＣタグなどを用いて一度ペアリングを実施した機器同士の間では、ペアリングに関する情報が各機器の内部で保存されるので、近距離無線通信を繰り返し行うことができる。また、所定のＮＦＣタグを所持していない人であっても、ペアリングに必要な認証キーなどの情報を知っていれば、その情報を入力し、ペアリングを実施して近距離無線通信を行うことができる。
【０００８】
ところで、例えばタクシー、トラック、バスなどの業務用車両の運行業務を行う企業においては、多数の車両を保有し、多数の乗務員のそれぞれを必要に応じて各車両の運行に割り当てることになる。また、各々の乗務員の運行業務に関する労務管理や安全管理に役立つ情報を収集するために、例えばドライブレコーダ、デジタルタコグラフ、タクシーメータのような車載器が各車両に搭載される。
【０００９】
このような車載器を操作したり、車載器が収集したデータにアクセスするために、例えばスマートフォンのような携帯端末を利用することも可能である。また、車載器と携帯端末との間でＮＦＣタグを用いてペアリングを行うことにより、近距離無線通信で車載器と携帯端末とを接続することができる。そして、過去にペアリングを行った特定の車載器と特定の携帯端末との間では、過去に保存してある情報を利用し、簡単な操作だけで再び近距離無線通信を行うことができる。
【００１０】
しかしながら、全ての乗務員の各々が毎日、同一の車両を運行するわけではない。すなわち、車両および車載器と、その車両を運行する乗務員との組み合わせは、各乗務員の都合や企業内の都合に応じて日々変更される可能性がある。そのため、全ての乗務員の各々が、多数の車載器の全てとの間で自分の携帯端末を用いて近距離無線通信することができる。つまり、各乗務員は、あるいは正規の乗務員でなくても認証キーなどの情報を知っている人は、他の乗務員の運行に関する情報に不正にアクセスしたり、各車載器を不正に操作することができてしまう。
【００１１】
例えば、特許文献１に開示されている技術を利用する場合であっても、ＮＦＣ通信から近距離無線通信にハンドオーバーする前後で、端末が同一か否かを識別することだけしかできない。すなわち、以前とは異なる端末であっても、過去にペアリングに成功している端末であれば、近距離無線通信はそのまま継続されることになり、車載器の不正な操作や不正なデータアクセスを防止することはできない。
【００１２】
また、所定の条件を満たす特定の携帯端末以外の通信による不正な操作を防止するための機能を車載器に搭載することは可能である。しかし、所定の条件を変更する度に、車載器内部のプログラムや管理用のデータを更新しなければならない。各企業は多数の車両および多数の車載器を管理しているので、全ての車載器のプログラムやデータを毎日のように頻繁に更新することは難しい。
【００１３】
本発明は、上述した事情に鑑みてなされたものであり、その目的は、近距離無線通信で車載器を操作しようとする場合に、特定の認証キーを知っている人や特定の認証キーを保持するＮＦＣタグが装着された端末を利用する人が操作する場合であっても、事前に決めた条件に適合しない不正なアクセスを防止することが可能な車載器制御システムを提供することにある。
【課題を解決するための手段】
【００１４】
前述した目的を達成するために、本発明に係る車載器制御システムは、下記（１）〜（３）を特徴としている。
（１）  ＮＦＣタグが搭載され、且つ近距離無線通信によって通信可能な携帯端末と、
ＮＦＣリーダが搭載され、且つ近距離無線通信を利用する第１の無線通信機能、及び前記近距離無線通信とは異なる第２の無線通信機能を用いて通信可能な車載器と、
前記車載器との間で、前記第２の無線通信機能と対応する無線通信によって通信可能なサーバと、
を備え、
前記車載器は、前記ＮＦＣリーダによって、近距離無線通信を確立するために必要なキー情報と、前記ＮＦＣタグに固有の識別情報とを、前記ＮＦＣタグから読み取り、前記キー情報及び前記識別情報を前記第２の無線通信機能の無線通信によって前記サーバに送信し、
前記サーバは、該サーバ上に事前に登録されている登録識別情報の中に、前記車載器から受信した前記識別情報と一致するものがあるかを判別し、判別結果が所定の条件を満たす場合、前記キー情報によって特定される携帯端末との間での近距離無線通信を許可する指示を前記車載器に送信する
こと。
（２）  上記（１）の構成の車載器制御システムであって、
前記固有の識別情報は、少なくとも、前記携帯端末を表す接続先端末情報及び前記携帯端末の所持者である特定の乗務員を表す乗務員情報を含み、
前記サーバは、前記車載器から受信した前記識別情報に含まれる前記接続先端末情報および前記乗務員情報の両方と一致する情報が前記登録識別情報の中に存在する場合に、近距離無線通信を許可する指示を前記車載器に送信する
こと。
（３）  上記（２）の構成の車載器制御システムであって、
前記固有の識別情報は、更に、前記乗務員情報に対応する特定の乗務員が当日運転を担当する特定の車両を表す担当車両情報を含み、
前記車載器は、該車載器自身または前記車載器を搭載した特定の車両を表す固有の車載器情報を、前記キー情報及び前記識別情報と共に前記第２の無線通信機能の無線通信によって前記サーバに送信し、
前記サーバは、前記車載器から受信した前記識別情報に含まれる前記接続先端末情報および前記乗務員情報の両方と一致する情報が前記登録識別情報の中に存在し、且つ、前記車載器から受信した前記車載器情報と、前記識別情報に含まれる前記担当車両情報とが整合する場合に、近距離無線通信を許可する指示を前記車載器に送信する
こと。
【００１５】
上記（１）の構成の車載器制御システムによれば、ユーザの操作する携帯端末が近距離無線通信を確立するために必要なキー情報を保持している場合であっても、前記サーバ上に事前に登録した登録識別情報の識別条件と適合しない場合には、サーバの指示により近距離無線通信を禁止することができる。従って、過去にペアリングを行った携帯端末を利用する場合であっても、最新の識別条件と適合しない場合には、不正なアクセスとみなすことができる。
上記（２）の構成の車載器制御システムによれば、過去にペアリングに成功した携帯端末を所持する多数の乗務員が存在する場合であっても、特定の乗務員が所持する携帯端末だけに対して近距離無線通信を許可することができる。従って、例えば企業が決めたスケジュールと一致しない乗務員の操作による不正な操作やデータアクセスを防止できる。
上記（３）の構成の車載器制御システムによれば、乗務員および車両の組み合わせが、例えば企業が決めたスケジュールと一致しない場合には、携帯端末と車載器との間の近距離無線通信を禁止することができる。従って、乗務員がスケジュールと一致しない車両の車載器を不正に操作したり、乗務員が他人のデータに不正にアクセスするのを防止できる。
【発明の効果】
【００１６】
本発明の車載器制御システムによれば、特定の認証キーを知っている人や特定の認証キーを保持するＮＦＣタグが装着された端末を利用する人が操作する場合であっても、事前に決めた条件に適合しない不正なアクセスを防止することができる。すなわち、第三者のなりすましによる不正なアクセスも防止できる。
【００１７】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１８】
【図１】図１は、本発明の実施形態の車載器制御システムの構成例を示すブロック図である。
【図２】図２は、本発明の実施形態の車載器制御システムにおける車載器の主要な動作を示すフローチャートである。
【図３】図３は、本発明の実施形態の車載器制御システム全体の動作を示すシーケンス図である。
【発明を実施するための形態】
【００１９】
本発明の車載器制御システムに関する具体的な実施形態について、各図を参照しながら以下に説明する。
【００２０】
＜システムの構成＞
本実施形態の車載器制御システム１００の構成を図１に示す。図１に示す車載器制御システム１００は、車載器１０、携帯端末２０、および認証用事務所サーバ３０で構成されている。
【００２１】
＜車載器の構成＞
図１に示す車載器１０として想定される実際の装置は、ドライブレコーダ、デジタルタコグラフ、タクシーメータなどである。この車載器１０は、例えばトラック、バス、タクシーなどの業務用車両に搭載された状態で使用される。
【００２２】
この車載器１０は、無線通信を可能にするために、近距離無線通信モジュール１１および遠距離無線通信モジュール１２を備えている。更に、ＮＦＣリーダ１４が車載器１０に接続されている。
【００２３】
近距離無線通信モジュール１１は、例えば、「Bluetooth」（登録商標）の規格に適合する無線通信機能を提供し、例えば半径１０〜１００ｍ程度の近距離の範囲内で相手と無線通信することが可能である。遠距離無線通信モジュール１２は、例えば移動体通信事業者が提供する無線基地局を経由して無線通信を行い、遠距離の無線通信を可能とする。ＮＦＣリーダ１４は、１０ｃｍ以内程度の近接した位置にＮＦＣタグが存在する場合に、ＮＦＣタグとの間でＮＦＣ通信を行い、データの受け渡しを行うことができる。
【００２４】
車載器１０に内蔵されているマイクロコンピュータ（ＣＰＵ）１３は、この車載器に割り当てられた様々な機能を実現する。また、マイクロコンピュータ１３は、近距離無線通信モジュール１１、遠距離無線通信モジュール１２、およびＮＦＣリーダ１４を制御して、安全な状態で通信を行う。マイクロコンピュータ１３の具体的な動作については後で説明する。
【００２５】
＜携帯端末の構成＞
図１に示す携帯端末２０として想定される実際の装置は、例えばスマートフォン、携帯電話端末、携帯型情報通信端末、業務用の専用の携帯通信端末などである。この携帯端末２０は、図１に示すようにＮＦＣタグ２１、近距離無線通信モジュール２２、および遠距離無線通信モジュール２３を搭載している。
【００２６】
近距離無線通信モジュール２２は、例えば、「Bluetooth」（登録商標）の規格に適合する無線通信機能を提供し、例えば半径１０〜１００ｍ程度の近距離の範囲内で相手と無線通信することが可能である。遠距離無線通信モジュール１２は、例えば移動体通信事業者が提供する無線基地局を経由して無線通信を行い、通話や電子メールの転送などに関する遠距離の無線通信を可能とする。
【００２７】
ＮＦＣタグ２１は、データの書き込みおよび読み出しが可能な不揮発性の記憶部と、ＮＦＣの規格に従って距離が１０ｃｍ程度の範囲内の近接無線通信を行う通信部とを備えている。ＮＦＣタグ２１の記憶部は、携帯端末２０と車載器１０との間で近距離無線通信を可能にするための認証キーの情報を保持しているが、図１に示した車載器制御システム１００においては、認証キー以外にも接続情報ＤＣとして次に示すような様々な情報をＮＦＣタグ２１が保持している。
【００２８】
接続先端末情報：携帯端末２０を識別するための固有の情報
乗務員情報：携帯端末２０を使用する特定の乗務員に企業内で割り当てた固有の情報
当日担当有無：携帯端末２０を使用する乗務員の当日の乗務予定の有無
担当エリア：携帯端末２０を使用する乗務員が乗務を担当するエリアの情報
担当車両：携帯端末２０を使用する乗務員が当日に乗務を担当する車両の固有情報
健康状態：携帯端末２０を使用する乗務員の健康状態の情報
当日車両点検完了有無：当日の車両点検が完了したか否かを表す情報
【００２９】
ＮＦＣタグ２１が保持する接続情報ＤＣの内容については、必要に応じて書き換えることができる。例えば、車両を管理する企業が事前に定めた運行スケジュール等に基づき、携帯端末２０を使用する乗務員の当日の予定から、接続情報ＤＣの内容を当日の内容に毎日更新することが想定される。また、携帯端末２０を使用する乗務員が当日の車両点検を完了した時点で、乗務員自身の入力操作により、「当日車両点検完了有無」の情報を更新することが想定される。
【００３０】
乗務員は、例えば当日の車両の運行業務を開始する時や、当日の運行業務が終了した時に、携帯端末２０を操作して近距離無線通信により車載器１０にアクセスし、車載器１０の動作を操作したり、車載器１０が保持しているデータにアクセスすることができる。但し、事前に定めた条件を満たさない限り、携帯端末２０を用いて車載器１０を操作したり車載器１０のデータにアクセスすることはできない。この条件を満たすか否かを識別するために認証用事務所サーバ３０を使用する。
【００３１】
＜認証用事務所サーバ３０の構成＞
認証用事務所サーバ３０は、多数の乗務員および車両を管理する企業の事務所内等に設置される。この認証用事務所サーバ３０は、例えば一般的なパーソナルコンピュータとサーバ用のプログラムを用いて構成することができる。
【００３２】
図１に示す認証用事務所サーバ３０には、遠距離無線通信モジュール３１および認証用データベース３２が接続されている。遠距離無線通信モジュール３１は、例えば移動体通信事業者が提供する無線基地局を経由して無線通信を行い、事務所から距離が離れた位置に存在する車両に搭載された車載器１０との間で無線通信を行うことができる。
【００３３】
なお、車載器１０と認証用事務所サーバ３０との間の通信においては、通信プロトコルとしてＨＴＴＰ（Hypertext Transfer Protocol）が用いられる。
【００３４】
認証用データベース３２上には、近距離無線通信により車載器１０にアクセスする携帯端末２０について、所定の認証を行うために必要な登録識別情報３２ａが保持されている。すなわち、この企業が管理している多数の乗務員の各々、および多数の車両の各々の運行スケジュールおよび実際の運行状況に基づき、乗務員毎に、次のようなデータが登録識別情報３２ａとして保持されている。
【００３５】
接続先端末情報：携帯端末２０を識別するための固有の情報
乗務員情報：携帯端末２０を使用する特定の乗務員に企業内で割り当てた固有の情報
当日担当有無：携帯端末２０を使用する乗務員の当日の乗務予定の有無
担当エリア：携帯端末２０を使用する乗務員が乗務を担当するエリアの情報
担当車両：携帯端末２０を使用する乗務員が当日に乗務を担当する車両の固有情報
健康状態：携帯端末２０を使用する乗務員の健康状態の情報
当日車両点検完了有無：当日の車両点検が完了したか否かを表す情報
【００３６】
認証用事務所サーバ３０のコンピュータは、携帯端末２０のＮＦＣタグ２１から送信され、車載器１０を経由して転送された接続情報ＤＣを受信し、これと一致する情報が登録識別情報３２ａ上に存在するか否かを識別することにより、認証処理を行う。認証処理の結果は、認証用事務所サーバ３０から車載器１０に接続許可又は拒絶の指示として送信される。
【００３７】
＜動作の説明＞
車載器１０の主要な動作を図２に示す。また、図１に示した車載器制御システム１００全体の動作を図３に示す。
【００３８】
例えば、乗務員が当日の乗務を開始する時に、携帯端末２０のＮＦＣタグ２１を車載器１０のＮＦＣリーダ１４の近傍（１０ｃｍ以内）にかざすと、ＮＦＣタグ２１とＮＦＣリーダ１４とが近接状態になるのでこれらの間でＮＦＣ通信が可能になる。従って、車載器１０のマイクロコンピュータ１３は、ＮＦＣ通信を確立する（Ｓ１１）。
【００３９】
ＮＦＣ通信を確立した状態で、ＮＦＣタグ２１はそれ自身が保持している接続情報ＤＣをＮＦＣ通信によりＮＦＣリーダ１４に送信する（Ｓ２１）。この接続情報ＤＣには、前述のように接続先端末情報、認証キー、乗務員情報、当日担当有無、担当エリア、担当車両、健康状態、および当日車両点検完了有無の情報が含まれている。
【００４０】
従って、車載器１０のマイクロコンピュータ１３は、ＮＦＣリーダ１４を介して接続情報ＤＣを取得する（Ｓ１２）。また、車載器１０は取得した接続情報ＤＣを、遠距離無線通信モジュール１２の無線通信回線を経由し、ＨＴＴＰのプロトコルを用いて認証用事務所サーバ３０に転送する（Ｓ１３）。
【００４１】
なお、車載器１０自身を表す固有情報、あるいは車載器１０を搭載した車両を表す固有情報を車載器１０が保持している場合には、これらのうちいずれか一方又は両方の情報を車載器情報として、Ｓ１３で接続情報ＤＣと共に車載器１０が認証用事務所サーバ３０に送信しても良い。
【００４２】
一方、認証用事務所サーバ３０は、車載器１０からの接続情報ＤＣを受信すると（Ｓ３１）、接続可否の識別処理を実行する（Ｓ３２）。すなわち、認証用データベース３２上の登録識別情報３２ａの中で、今回受信した接続情報ＤＣと一致する組み合わせを探索する。
【００４３】
例えば、接続情報ＤＣ中の「接続先端末情報」および「乗務員情報」の組み合わせと一致する情報が、当日運行を担当する乗務員のリストに相当する登録識別情報３２ａの中に存在する場合には、接続条件と一致するものとみなすことができる。
【００４４】
あるいは、更に条件を限定し、接続情報ＤＣ中の「当日担当有無」、「健康状態」、および「当日車両点検完了有無」が、それぞれ「担当あり」、「良好」、および「完了あり」である場合に接続条件と一致するものとみなすこともできる。また、接続情報ＤＣ中の「担当車両」と登録識別情報３２ａ中の当該乗務員の担当車両とが一致するか否かを条件に加えても良い。
【００４５】
また、認証用事務所サーバ３０が車載器１０から前記「車載器情報」を受信した場合には、受信した接続情報ＤＣ中の「担当車両」と、受信した「車載器情報」の車両とが整合するか否かを識別し、この識別結果を接続条件に加えることもできる。
【００４６】
上記のような接続条件と一致した場合には、認証用事務所サーバ３０は近距離無線通信（ＢＴ：BlueTooth（登録商標））に関する接続処理許可情報を、遠距離無線通信モジュール３１の通信回線を用いて車載器１０に送信する（Ｓ３３）。一致しない場合には、許可情報は送信しない。
【００４７】
一方、車載器１０は、Ｓ１３で接続情報ＤＣを送信した後、認証用事務所サーバ３０からの接続処理許可情報を受信するまで待機する（Ｓ１４）。車載器１０が接続処理許可情報を受信できない場合には、車載器１０がＮＦＣタグ２１から受信した「認証キー」が正規の内容であったとしても、図２に示すＳ１５で、ＮＦＣ通信から近距離無線通信（BlueTooth（登録商標））への切り替え（ハンドオーバー）に関する接続処理を拒絶する。
【００４８】
車載器１０が認証用事務所サーバ３０からの接続処理許可情報を受信した場合には、車載器１０は受信した接続情報ＤＣの内容に基づき、ＮＦＣ通信から近距離無線通信（BlueTooth（登録商標））へのハンドオーバーに関する接続処理を実行する（Ｓ１６）。つまり、接続情報ＤＣ中の「接続先端末情報」と一致する携帯端末２０と車載器１０との間の通信接続を、ＮＦＣの通信回線から近距離無線通信の回線につなぎ直す。
【００４９】
この後、受け渡しにより取得した認証キーを用いて、暗号化／復号を行いながら、近距離無線通信の回線を用いて携帯端末２０と車載器１０との間でデータ通信を実行する。従って、携帯端末２０のユーザ（乗務員）は、携帯端末２０を操作することにより、車載器１０を遠隔操作したり、車載器１０が保持しているデータにアクセスすることが可能になる。
【００５０】
なお、近距離無線通信の回線を用いて携帯端末２０と車載器１０との間でデータ通信を行う際には、ＲＦＣＯＭＭ（Radio Frequency Communication）およびＳＰＰ（Serial Port Profile）を利用する。ＲＦＣＯＭＭは、標準規格であるRS232Cによるシリアル通信をエミュレートし無線化したプロトコルである。また、ＳＰＰは、プロトコルをどのように使ってサービスを提供および利用するかを取り決めたプロファイルである。
【００５１】
＜車載器制御システム１００の利点＞
企業内に多数の業務用車両および多数の乗務員が存在する場合には、各車両および車載器とそれを使用する乗務員との組み合わせが毎日のように変化する可能性がある。近距離無線通信を行う車載器と携帯端末とを通常の方法でペアリングする場合には、過去にペアリングに成功した機器同士の間では過去に使用した情報を用いて再び通信することができるので、多数の乗務員中の誰であっても、自分の携帯端末を用いて全ての車載器を操作できる可能性がある。
【００５２】
しかし、車載器制御システム１００の場合には、認証用事務所サーバ３０による認証処理によって、不正なアクセスを防止することが可能になる。すなわち、ユーザが正規の認証キーを有する携帯端末を使用する場合であっても、認証用事務所サーバ３０の認証用データベース３２上に登録されていない乗務員や、登録されていない携帯端末の接続を拒絶することができる。
【００５３】
また、認証機能を認証用事務所サーバ３０側に設けているので、認証の条件を変更する場合に、車載器１０側のソフトウェアを個別に更新する必要はなく、管理する車載器１０の台数が多くても変更の手続きを簡単に済ませることができる。例えば、多数の業務用車両の運行スケジュールの変更に伴って、毎日のように認証の条件を変更することも可能になる。
【符号の説明】
【００５４】
１０  車載器
１１  近距離無線通信モジュール
１２  遠距離無線通信モジュール
１３  マイクロコンピュータ
１４  ＮＦＣリーダ
２０  携帯端末
２１  ＮＦＣタグ
２２  近距離無線通信モジュール
２３  遠距離無線通信モジュール
３０  認証用事務所サーバ
３１  遠距離無線通信モジュール
３２  認証用データベース
３２ａ  登録識別情報
１００  車載器制御システム
【図１】
2014215705.tif 000003
【図２】
2014215705.tif 000004
【図３】
2014215705.tif 000005